(57)【要約】【課題】店舗で利用しやすい小型の貨幣処理装置を提供する。【解決手段】店舗で行われる取引の精算処理に利用される貨幣処理装置を、紙幣の入金処理及び出金処理を行う紙幣処理部と、硬貨の入金処理及び出金処理を行う硬貨処理部と、紙幣処理部と前記硬貨処理部の少なくともいずれか一方と接続される構成部品が収められる収納部とによって構成し、紙幣処理部、硬貨処理部及び収納部を筐体内において鉛直方向に並んで配置される。【選択図】図１
2020181496.tif 000002
【特許請求の範囲】
【請求項１】
店舗で行われる取引の精算処理に利用される貨幣処理装置であって、
紙幣の入金処理及び出金処理を行う紙幣処理部と、
硬貨の入金処理及び出金処理を行う硬貨処理部と、
前記紙幣処理部と前記硬貨処理部の少なくともいずれか一方と接続される構成部品が収められる収納部と
を備え、
前記紙幣処理部、前記硬貨処理部及び前記収納部は筐体内において鉛直方向に並んで配置されている
ことを特徴とする貨幣処理装置。
【請求項２】
前記収納部は、前記紙幣処理部と前記硬貨処理部の間に配置されていることを特徴とする請求項１に記載の貨幣処理装置。
【請求項３】
前記紙幣処理部は、前記硬貨処理部より上方に配置されていることを特徴とする請求項１又は２に記載の貨幣処理装置。
【請求項４】
前記紙幣処理部の前面及び前記収納部の前面は、前記硬貨処理部の前面より背面側に後退した位置にあることを特徴とする請求項１〜３のいずれか１項に記載の貨幣処理装置。
【請求項５】
前記紙幣処理部は、紙幣を入金するための紙幣入金口を有し、
前記硬貨処理部は、硬貨を入金するための硬貨入金口を有し、
平面視で装置幅方向の位置関係を見たときに、前記紙幣入金口及び前記硬貨入金口は、それぞれの少なくとも一部が重なる位置に配置されている
ことを特徴とする請求項１〜４のいずれか１項に記載の貨幣処理装置。
【請求項６】
前記紙幣処理部は、紙幣を出金するための紙幣出金口をさらに有し、
前記硬貨処理部は、硬貨を出金するための硬貨出金口をさらに有し、
平面視で装置幅方向の位置関係を見たときに、前記紙幣入金口、前記紙幣出金口、前記硬貨入金口及び前記硬貨出金口は、それぞれの少なくとも一部が重なる位置に配置されている
ことを特徴とする請求項５に記載の貨幣処理装置。
【請求項７】
前記紙幣処理部及び前記収納部は、前記硬貨処理部より上方に配置され、
前記紙幣処理部の前面及び前記収納部の前面は、前記硬貨処理部の前面より背面側に後退した位置にあり、
前記硬貨入金口は、少なくとも一部が前記硬貨処理部の上面にあるように設けられている
ことを特徴とする請求項６に記載の貨幣処理装置。
【請求項８】
前記紙幣入金口は、少なくとも一部が前記紙幣処理部の前面にあるように設けられ、
前記紙幣出金口は、前記紙幣処理部の前面に設けられ、
前記硬貨出金口は、前記硬貨処理部の前面に設けられている
ことを特徴とする請求項７に記載の貨幣処理装置。
【請求項９】
前記紙幣処理部、前記硬貨処理部及び前記収納部は、それぞれが独立して前記貨幣処理装置の前面側から引出可能に設けられていることを特徴とする請求項１〜８のいずれか１項に記載の貨幣処理装置。
【請求項１０】
前記収納部には、電力を供給するための電源部が収納されることを特徴とする請求項１〜９のいずれか１項に記載の貨幣処理装置。
【請求項１１】
前記収納部には、外部装置と通信を行うための通信部が収納されることを特徴とする請求項１０に記載の貨幣処理装置。
【請求項１２】
前記紙幣処理部は、第１ケーブルを介して前記電源部と接続され、
前記第１ケーブルは、前記紙幣処理部と前記電源部とを接続したまま、少なくともいずれか一方を前記貨幣処理装置の前面側に引出可能な長さを有する
ことを特徴とする請求項１１に記載の貨幣処理装置。
【請求項１３】
前記紙幣処理部は、前記第１ケーブルを介して前記通信部と接続され、
前記第１ケーブルは、前記紙幣処理部と前記通信部とを接続したまま、少なくともいずれか一方を前記貨幣処理装置の前面側に引出可能な長さを有する
ことを特徴とする請求項１２に記載の貨幣処理装置。
【請求項１４】
前記硬貨処理部は、第２ケーブルを介して前記電源部と接続され、
前記第２ケーブルは、前記硬貨処理部と前記電源部とを接続したまま、少なくともいずれか一方を前記貨幣処理装置の前面側に引出可能な長さを有する
ことを特徴とする請求項１２又は１３に記載の貨幣処理装置。
【請求項１５】
前記硬貨処理部は、前記第２ケーブルを介して前記通信部と接続され、
前記第２ケーブルは、前記硬貨処理部と前記通信部とを接続したまま、少なくともいずれか一方を前記貨幣処理装置の前面側に引出可能な長さを有する
ことを特徴とする請求項１４に記載の貨幣処理装置。
【請求項１６】
前記第１ケーブル及び前記第２ケーブルは、保護部材によって保護されていることを特徴とする請求項１４又は１５に記載の貨幣処理装置。
【発明の詳細な説明】
【技術分野】
【０００１】
この発明は、紙幣及び硬貨を処理する貨幣処理装置に関する。
【背景技術】
【０００２】
従来、紙幣及び硬貨を処理する貨幣処理装置が利用されている。例えば、特許文献１には入金処理及び出金処理を行う貨幣処理装置が開示されている。この貨幣処理装置は、装置の幅方向（左右方向）に並べて設置された紙幣処理装置と硬貨処理装置とによって構成されている。２台の装置を左右に並べて使いやすいように、紙幣処理装置と硬貨処理装置の高さ、幅及び奥行の寸法はそれぞれ略同一になっている。
【０００３】
貨幣処理装置の利用者は、紙幣処理装置で紙幣の入金処理及び出金処理を行い、硬貨処理装置で硬貨の入金処理及び出金処理を行う。例えば、貨幣処理装置は、店舗に設置され、客が店舗で購入する商品の代金を精算するために利用される。貨幣処理装置は、客が代金として支払う紙幣及び硬貨を識別計数して装置内に収納する入金処理を行う。客に釣銭を返す必要がある場合、貨幣処理装置は、装置内に収納していた紙幣及び硬貨を組み合わせて釣銭として出金する出金処理を行う。
【先行技術文献】
【特許文献】
【０００４】
【特許文献１】特許第５９０２６６７号公報
【発明の概要】
【発明が解決しようとする課題】
【０００５】
しかしながら、上記従来技術では、利用者の要望に十分に応えられない場合があった。例えば、利用者が、店舗の規模及びレイアウトに合わせて幅方向の寸法が小さい小型の貨幣処理装置を求める場合があった。
【０００６】
本発明は、上記従来技術による課題に鑑みてなされたもので、小型の貨幣処理装置を提供することを目的とする。
【課題を解決するための手段】
【０００７】
上述した課題を解決し、目的を達成するため、本発明は、店舗で行われる取引の精算処理に利用される貨幣処理装置であって、紙幣の入金処理及び出金処理を行う紙幣処理部と、硬貨の入金処理及び出金処理を行う硬貨処理部と、前記紙幣処理部と前記硬貨処理部の少なくともいずれか一方と接続される構成部品が収められる収納部とを備え、前記紙幣処理部、前記硬貨処理部及び前記収納部は筐体内において鉛直方向に並んで配置されていることを特徴とする。
【０００８】
また、本発明は、上記発明において、前記収納部は、前記紙幣処理部と前記硬貨処理部の間に配置されていることを特徴とする。
【０００９】
また、本発明は、上記発明において、前記紙幣処理部は、前記硬貨処理部より上方に配置されていることを特徴とする。
【００１０】
また、本発明は、上記発明において、前記紙幣処理部の前面及び前記収納部の前面は、前記硬貨処理部の前面より背面側に後退した位置にあることを特徴とする。
【００１１】
また、本発明は、上記発明において、前記紙幣処理部は、紙幣を入金するための紙幣入金口を有し、前記硬貨処理部は、硬貨を入金するための硬貨入金口を有し、平面視で装置幅方向の位置関係を見たときに、前記紙幣入金口及び前記硬貨入金口は、それぞれの少なくとも一部が重なる位置に配置されていることを特徴とする。
【００１２】
また、本発明は、上記発明において、前記紙幣処理部は、紙幣を出金するための紙幣出金口をさらに有し、前記硬貨処理部は、硬貨を出金するための硬貨出金口をさらに有し、平面視で装置幅方向の位置関係を見たときに、前記紙幣入金口、前記紙幣出金口、前記硬貨入金口及び前記硬貨出金口は、それぞれの少なくとも一部が重なる位置に配置されていることを特徴とする。
【００１３】
また、本発明は、上記発明において、前記紙幣処理部及び前記収納部は、前記硬貨処理部より上方に配置され、前記紙幣処理部の前面及び前記収納部の前面は、前記硬貨処理部の前面より背面側に後退した位置にあり、前記硬貨入金口は、少なくとも一部が前記硬貨処理部の上面にあるように設けられていることを特徴とする。
【００１４】
また、本発明は、上記発明において、前記紙幣入金口は、少なくとも一部が前記紙幣処理部の前面にあるように設けられ、前記紙幣出金口は、前記紙幣処理部の前面に設けられ、前記硬貨出金口は、前記硬貨処理部の前面に設けられていることを特徴とする。
【００１５】
また、本発明は、上記発明において、前記紙幣処理部、前記硬貨処理部及び前記収納部は、それぞれが独立して前記貨幣処理装置の前面側から引出可能に設けられていることを特徴とする。
【００１６】
また、本発明は、上記発明において、前記収納部には、電力を供給するための電源部が収納されることを特徴とする。
【００１７】
また、本発明は、上記発明において、前記収納部には、外部装置と通信を行うための通信部が収納されることを特徴とする。
【００１８】
また、本発明は、上記発明において、前記紙幣処理部は、第１ケーブルを介して前記電源部と接続され、前記第１ケーブルは、前記紙幣処理部と前記電源部とを接続したまま、少なくともいずれか一方を前記貨幣処理装置の前面側に引出可能な長さを有することを特徴とする。
【００１９】
また、本発明は、上記発明において、前記紙幣処理部は、前記第１ケーブルを介して前記通信部と接続され、前記第１ケーブルは、前記紙幣処理部と前記通信部とを接続したまま、少なくともいずれか一方を前記貨幣処理装置の前面側に引出可能な長さを有することを特徴とする。
【００２０】
また、本発明は、上記発明において、前記硬貨処理部は、第２ケーブルを介して前記電源部と接続され、前記第２ケーブルは、前記硬貨処理部と前記電源部とを接続したまま、少なくともいずれか一方を前記貨幣処理装置の前面側に引出可能な長さを有することを特徴とする。
【００２１】
また、本発明は、上記発明において、前記硬貨処理部は、前記第２ケーブルを介して前記通信部と接続され、前記第２ケーブルは、前記硬貨処理部と前記通信部とを接続したまま、少なくともいずれか一方を前記貨幣処理装置の前面側に引出可能な長さを有することを特徴とする。
【００２２】
また、本発明は、上記発明において、前記第１ケーブル及び前記第２ケーブルは、保護部材によって保護されていることを特徴とする。
【発明の効果】
【００２３】
本発明によれば、小型の貨幣処理装置を実現することができる。例えば、設置面積が小さく、高さ方向の寸法に比べて幅方向の寸法が小さい小型の貨幣処理装置を実現することができる。
【図面の簡単な説明】
【００２４】
【図１】図１は、本実施形態に係る貨幣処理装置の外観を示す図である。
【図２】図２は、貨幣処理装置の前面及び側面を示す図である。
【図３】図３は、貨幣処理装置を構成する紙幣処理部、電源通信部及び硬貨処理部の引出方法を説明するための図である。
【図４】図４は、店舗内に設置された貨幣処理装置の利用例を示す図である。
【図５】図５は、ＰＯＳシステムに接続された貨幣処理装置の例を示すブロック図である。
【図６】図６は、紙幣処理部及び硬貨処理部と電源通信部との接続例を示す図である。
【図７】図７は、紙幣処理部の内部構成概略を示す図である。
【図８】図８は、硬貨処理部の内部構成概略を示す図である。
【発明を実施するための形態】
【００２５】
以下、添付図面を参照しながら、本発明に係る貨幣処理装置の実施の形態について説明する。貨幣処理装置は、様々な場所で、貨幣（紙幣及び硬貨）を入出金するために利用される。本実施形態では、店舗に設置された貨幣処理装置を例に説明する。
【００２６】
本実施形態に係る貨幣処理装置は、店舗で客との取引が行われる際に取引金額の精算処理に利用される。例えば店舗で商品を購入する客は、商品代金として支払う紙幣及び硬貨を自ら貨幣処理装置に投入して、必要に応じて釣銭を受け取ることができる。
【００２７】
図１は、本実施形態に係る貨幣処理装置１の外観を示す図である。図２は、貨幣処理装置１の前面及び側面を示す図である。図３は、貨幣処理装置１を構成する紙幣処理部１００、電源通信部２００及び硬貨処理部３００の引出方法を説明するための図である。
【００２８】
貨幣処理装置１は、紙幣処理部１００、電源通信部２００及び硬貨処理部３００を含む。紙幣処理部１００、電源通信部２００及び硬貨処理部３００は、貨幣処理装置１の筐体内で上下方向に並べて配置されている。具体的には、筐体内の一番下に硬貨処理部３００が配置され、一番上に紙幣処理部１００が配置されている。電源通信部２００は、紙幣処理部１００と硬貨処理部３００の間の位置に配置されている。すなわち、紙幣処理部１００、電源通信部２００及び硬貨処理部３００が鉛直方向に一列に配置されている。
【００２９】
紙幣処理部１００、電源通信部２００及び硬貨処理部３００は、それぞれがユニット化されている。店員は、貨幣処理装置１の前面側から各ユニットを手前に引き出して、通常は貨幣処理装置１の筐体内にある各ユニットの構成部を外部に露出させることができる。例えば、保守点検を行う際に各ユニットが貨幣処理装置１から引き出される。
【００３０】
紙幣処理部１００の左右両外側の側面と、貨幣処理装置１の筐体の左右両内側の側面とが、図２に示すようにスライドレール１１によって接続されている。これにより、紙幣処理部１００は、図３に矢印で示すように、貨幣処理装置１に対して前後方向にスライド移動することができる。図１及び図２に示すように、紙幣処理部１００の前面に、鍵穴１０１及び把手１３１が設けられている。鍵穴１０１は、紙幣処理部１００と貨幣処理装置１の筐体との間をロックするためのロック機構の施解錠に利用される。店員は、通常はロック機構を施錠して、紙幣処理部１００を貨幣処理装置１から引き出せないようにロックする。店員は、必要に応じて鍵穴１０１に鍵を差してロック機構を解錠し、把手１３１に手を掛けて、紙幣処理部１００を手前に引き出すことができる。
【００３１】
電源通信部２００は、図２に示すように、貨幣処理装置１の筐体内部に固定された支持部１２の上に載置されている。電源通信部２００は、図３に矢印で示すように、支持部１２の上をスライド移動することができる。すなわち、電源通信部２００は、貨幣処理装置１に対して前後方向にスライド移動することができる。
【００３２】
硬貨処理部３００は、貨幣処理装置１の筐体下面に固定された架台部３９０の上に設けられている。架台部３９０は、図３に示すように、固定部３９０ａ、移動部３９０ｂ及びスライドレール１３を含む。固定部３９０ａは、貨幣処理装置１の筐体下面に固定されている。移動部３９０ｂの左右両外側の側面と、固定部３９０ａの左右両内側の側面とが、図２に示すようにスライドレール１３によって接続されている。移動部３９０ｂは、貨幣処理装置１に固定された固定部３９０ａに対して、前後方向にスライド移動することができる。硬貨処理部３００は、移動部３９０ｂの上に固定されている。これにより、硬貨処理部３００は、図３に矢印で示すように、貨幣処理装置１に対して、移動部３９０ｂと共に前後方向にスライド移動することができる。図１及び図２に示すように、硬貨処理部３００の前面下部に、鍵穴３０１及び把手３９１が設けられている。鍵穴３０１は、移動部３９０ｂと固定部３９０ａとの間をロックするためのロック機構の施解錠に利用される。店員は、通常はロック機構を施錠して、移動部３９０ｂに固定された硬貨処理部３００を貨幣処理装置１から引き出せないようにロックする。店員は、必要に応じて鍵穴３０１に鍵を差してロック機構を解錠し、移動部３９０ｂの把手３９１に手を掛けて、移動部３９０ｂと共に硬貨処理部３００を手前に引き出すことができる。
【００３３】
スライドレール１１、１３はそれぞれストッパを有する。紙幣処理部１００、電源通信部２００及び硬貨処理部３００は、図３に示すように貨幣処理装置１の前面側から手前に引き出された際に、各スライドレール１１、１３のストッパによって所定位置で停止する。これにより、店員が紙幣処理部１００を手前に引き出した際に、これらが貨幣処理装置１から抜け落ちないようになっている。同様に、店員が硬貨処理部３００を手前に引き出した際に、必要以上に手前に出てこないようになっている。
【００３４】
スライドレール１１、１３のストッパは解除することもできる。店員は、必要に応じてストッパを解除し、紙幣処理部１００及び硬貨処理部３００を貨幣処理装置１から取り外すことができる。例えば、店員は、スライドレール１１のストッパを解除して紙幣処理部１００を取り外し、別の紙幣処理部１００を取り付けることにより、紙幣処理部１００を交換することができる。同様に、店員は、硬貨処理部３００を別のユニットに交換することができる。支持部１２の上に載置された電源通信部２００も紙幣処理部１００及び硬貨処理部３００と同様に別のユニットに交換することができる。
【００３５】
例えば、紙幣処理部１００、電源通信部２００及び硬貨処理部３００の改良品が登場した場合に、店員は、利用中のユニットを取り外して新しいユニットと交換することができる。
【００３６】
また、例えば、紙幣処理部１００、電源通信部２００及び硬貨処理部３００で故障が発生した場合、店員は、故障したユニットを手前に引き出して修理を行うことができる。また、店員は、故障したユニットを取り外して代わりに正常動作するユニットを取り付け、貨幣処理装置１の利用を続けながら、取り外したユニットを修理することができる。
【００３７】
図１及び図２に示すように、紙幣処理部１００は、前面側に入金部１１０及び出金部１２０を有する。入金部１１０の下方に出金部１２０が設けられている。入金部１１０は、紙幣処理部１００の前面上端部に、入金される複数枚の紙幣を受付可能な入金口を有する。紙幣入金口の少なくとも一部は紙幣処理部１００の前面にある。出金部１２０は、紙幣処理部１００の前面に、出金される複数枚の紙幣を排出可能な出金口を有する。
【００３８】
紙幣処理部１００は、前面側にカセット１３０を有する。カセット１３０は、紙幣処理部１００内で紙幣を収納するボックス形状の収納部である。カセット１３０は、紙幣処理部１００に対して着脱可能に設けられている。紙幣処理部１００に装着されたカセット１３０は、図１に示すように、把手１３１が設けられた前面を外部に露出している。
【００３９】
紙幣処理部１００の前面には鍵穴１０２が設けられている。鍵穴１０２は、カセット１３０と紙幣処理部１００との間をロックするためのロック機構の施解錠に利用される。店員は、通常はロック機構を施錠して、カセット１３０が紙幣処理部１００から抜き取られないようにロックする。店員は、必要に応じて鍵穴１０２に鍵を差してロック機構を解錠し、把手１３１に手を掛けて、装置前面からカセット１３０を抜き取ることができる。例えば、店員は、紙幣が収納されたカセット１３０を紙幣処理部１００から抜き取って、カセットごと紙幣を回収することができる。
【００４０】
カセット１３０の前面に設けられた把手１３１は、紙幣処理部１００からのカセット１３０の抜き取りと、貨幣処理装置１からの紙幣処理部１００の引き出しとの両方に利用される。店員は、鍵穴１０１に対応するロック機構を施錠した状態で鍵穴１０２に対応するロック機構を解錠し、把手１３１に手を掛けて、紙幣処理部１００からカセット１３０を抜き取ることがきる。一方、店員は、鍵穴１０２に対応するロック機構を施錠した状態で鍵穴１０１に対応するロック機構を解錠し、把手１３１に手を掛けて、貨幣処理装置１から紙幣処理部１００を手前に引き出すことができる。
【００４１】
図１及び図２に示すように、硬貨処理部３００は、前面側に入金部３１０及び出金部３２０を有する。入金部３１０は、硬貨処理部３００の前面側上端部に設けられ、出金部３２０は、硬貨処理部３００の前面側において入金部３１０の下方に設けられている。入金部３１０は、硬貨処理部３００の上面前端部に、入金される複数枚の硬貨を受付可能な入金口を有する。硬貨入金口の少なくとも一部は硬貨処理部３００の上面にある。出金部３２０は、硬貨処理部３００の前面に、出金される複数枚の硬貨を排出可能な出金口を有する。
【００４２】
硬貨処理部３００も、紙幣処理部１００と同様に、前面側から着脱可能なカセット３３０を有している（図８参照）。カセット３３０は、硬貨処理部３００内で硬貨を収納する収納部である。硬貨処理部３００に装着されたカセット３３０は、図１に示すカバー３３１の内側にある。
【００４３】
硬貨処理部３００のカバー３３１には鍵穴３０２が設けられている。鍵穴３０２は、カバー３３１と硬貨処理部３００との間をロックするためのロック機構の施解錠に利用される。店員は、通常はロック機構を施錠して、カバー３３１を開くことができないようにロックする。店員は、必要に応じて鍵穴３０２に鍵を差してロック機構を解錠し、カバー３３１を開いて、カセット３３０を抜き取ることができる。例えば、店員は、硬貨が収納されたカセット３３０を硬貨処理部３００から抜き取って、カセットごと硬貨を回収することができる。
【００４４】
図２に示すように、貨幣処理装置１は、平面視において、装置の幅方向（左右方向）の中心線上に、上下方向に一列に、紙幣の入金部１１０及び出金部１２０と、硬貨の入金部３１０及び出金部３２０とを有している。紙幣入金口、紙幣出金口、硬貨入金口、硬貨出金口は、それぞれの少なくとも一部が装置幅方向において重なる位置に配置されている。すなわち、貨幣処理装置１の前面側から見たときに、紙幣入金口、紙幣出金口、硬貨入金口、硬貨出金口は、それぞれの少なくとも一部が同一鉛直線上に重なる位置にある。例えば、紙幣の入金口及び出金口の幅方向中心と、硬貨の入金口及び出金口の幅方向中心とが、貨幣処理装置１の幅方向中心と一致する。また、貨幣処理装置１の前面は、幅方向の中心線に対して略対称な外観を有している。貨幣処理装置１の左右両側面及び背面はそれぞれ鉛直面を形成し、上面は水平面を形成している。例えば、貨幣処理装置１の右側面を店舗の壁面又は他の装置に接した状態でも、貨幣処理装置１の左側面を壁面又は他の装置に接した状態でも、紙幣及び硬貨の入出金に係る動作を容易に行うことができる。
【００４５】
貨幣処理装置１は、例えば、図２に示す幅Ｗが２５０〜３００ｍｍ、高さＨａが１２００〜１２５０ｍｍ、奥行Ｄが６５０〜７００ｍｍの縦方向に細長い形状を有する。貨幣処理装置１は設置面積が小さく狭い場所に設置することも可能となっている。貨幣処理装置１の幅Ｗは、高さＨａの１／４以下になっている。貨幣処理装置１は、従来装置に比べて小さい設置スペースに設置可能でありながら紙幣及び硬貨の両方を処理することができる。また、図２に示す硬貨処理部３００の高さＨｃが約８００ｍｍであるのに対して、紙幣処理部１００の高さＨｂは約３００ｍｍである。紙幣処理部１００の高さＨｂは、硬貨処理部３００の高さＨｃの１／２以下になっている。
【００４６】
図４は、店舗内に設置された貨幣処理装置１の利用例を示す図である。貨幣処理装置１は、例えばＰＯＳシステムと接続して利用される。図５は、ＰＯＳシステム２に接続された貨幣処理装置１の例を示すブロック図である。例えば、貨幣処理装置１は、ネットワーク３を介してＰＯＳシステム２と接続される。
【００４７】
図５に示すように、ＰＯＳシステム２は、ＰＯＳサーバ４００及び操作表示部５００を含む。ＰＯＳサーバ４００は、店舗内の商品の情報及び店舗で行われた取引の情報を管理する。操作表示部５００は、客が購入する商品の情報を入力するために利用される。例えば、図４に示すように、タッチパネル式の大型の液晶表示装置が、ＰＯＳシステム２の操作表示部５００として利用される。客は、操作表示部５００の画面に表示された情報を確認して、購入する商品を選択する。客が商品を選択し終えると、ＰＯＳサーバ４００で管理される情報に基づいて、客が支払う代金、すなわち取引金額が算出されて、貨幣処理装置１に入力される。ＰＯＳシステム２から取引金額を受信した貨幣処理装置１は、客から取引金額分の現金の入金を受け付ける入金処理を実行する。また、貨幣処理装置１は、必要に応じて釣銭を出金する出金処理を実行する。
【００４８】
貨幣処理装置１は、店舗に設置された際に圧迫感がないように、成人の平均身長を考慮した構造を有している。例えば、図４に示すように、貨幣処理装置１の高さ（図２の高さＨａ）は、成人の平均身長より低くなっている。また、装置前面に設けられた入金口及び出金口のうち、一番上にある紙幣の入金口でも多くの成人客の目線又はそれより低い位置にあり、一番下にある硬貨の出金口は、多くの成人客の膝よりも高い位置にある。このため、客は、紙幣の入出金及び硬貨の入出金を容易に行うことができる。
【００４９】
図１及び図２の側面図に示すように、紙幣処理部１００の前面及び電源通信部２００の前面は、硬貨処理部３００の前面より装置背面側に後退した位置にある。硬貨が入金される入金部３１０の入金口は、奥行方向において、硬貨処理部３００の前面と、電源通信部２００の前面との間の位置に設けられている。例えば、硬貨入金口は、硬貨処理部３００の上面前端に設けられる。図４に示すように、貨幣処理装置１の前に立つ客は、硬貨処理部３００を見下ろした際、硬貨処理部３００の上面前端部に設けられた硬貨入金口の内部を容易に確認することができる。
【００５０】
図５に示すように、紙幣処理部１００及び硬貨処理部３００は、それぞれ電源通信部２００と接続されている。図６は、紙幣処理部１００及び硬貨処理部３００と電源通信部２００との接続例を示す図である。図６では、貨幣処理装置１の筐体を破線で示し、紙幣処理部１００、電源通信部２００及び硬貨処理部３００を実線で示している。
【００５１】
図６に示すように、貨幣処理装置１の筐体内部において、紙幣処理部１００と電源通信部２００との間がケーブル２０１によって接続される。ケーブル２０１は、複数のケーブルを１つにまとめたものである。例えば、ケーブル２０１には、電源通信部２００から紙幣処理部１００に電力を供給するための電源ケーブルと、電源通信部２００と紙幣処理部１００との間で情報を送受信するための通信ケーブルとが含まれる。同様に、貨幣処理装置１の筐体内部において、硬貨処理部３００と電源通信部２００との間がケーブル２０２によって接続される。ケーブル２０２は、複数のケーブルを１つにまとめたものである。例えば、ケーブル２０２には、電源通信部２００から硬貨処理部３００に電力を供給するための電源ケーブルと、電源通信部２００と硬貨処理部３００との間で情報を送受信するための通信ケーブルとが含まれる。各ケーブル２０１、２０２は両端に接続端子（接続部）を有する。ケーブル２０１、２０２を利用して接続されるユニットには、ケーブル２０１、２０２の接続端子に対応する接続端子（接続部）が設けられる。ケーブル２０１、２０２両端の接続端子をそれぞれ２つの別のユニットの接続端子に接続すると、電源ケーブル、通信ケーブルを含む各ケーブルにより２つのユニット間を接続できるようになっている。
【００５２】
電源通信部２００は、電源部と通信部を含む。電源部は、電力供給に係る電源基板等の構成部品を含む。通信部は、通信に係る通信基板等の構成部品を含む。通信部は、電源部と接続され、電源部から電力の供給を受けて動作する。電源通信部２００、すなわち電源部及び通信部は、ボックス型の収納部の内部に収められる。
【００５３】
電源部は、ケーブル２０１、２０２を介して、紙幣処理部１００の制御基板及び硬貨処理部３００の制御基板に電力を供給する。電源部は、紙幣処理部１００の制御基板及び硬貨処理部３００の制御基板に電力を供給する状態と供給しない状態とを切り替えるためのスイッチを備えている。
【００５４】
図６では模式的に示しているが、実際には、紙幣処理部１００、電源通信部２００及び硬貨処理部３００の３つのユニットのうち２つのユニット間を接続する各ケーブル２０１、２０２はユニット間の距離よりも十分に長い。ケーブル２０１、２０２によって２つのユニット間を接続した状態のまま、一方のユニットのみを図３に示すように手前に引き出すことができる。店員は、各ユニットを貨幣処理装置１の前面側から手前に引き出して、各ユニットの背面に接続されたケーブル２０１、２０２を脱着することができる。
【００５５】
電源ケーブル及び通信ケーブルを含むケーブル２０１、２０２は、ユニットを引き出した際に装置内の各部と接触して損傷しないように、それぞれが樹脂製の保護部材によって保護されている。電源ケーブル及び通信ケーブルを含む複数のケーブルが、傷や切断が生じないように保護部材によって１つにまとめられて、ケーブル２０１、２０２が形成されている。例えば、スパイラルチューブ、コルゲートチューブ、又はケーブルチェーンが保護部材として利用される。
【００５６】
図６に示すように、電源通信部２００の通信部は、通信ケーブル２０３によってＰＯＳシステム２と接続されている。通信部は、通信ケーブル２０３によってＰＯＳシステム２と情報を送受信する。電源通信部２００の電源部は、外部のＡＣ電源から電力供給を受けるための電源ケーブル２０４と接続されている。通信ケーブル２０３及び電源ケーブル２０４は、貨幣処理装置１の筐体背面から装置外部に延びている。
【００５７】
電源ケーブル２０４の差込プラグを、店舗のコンセントに差すと、電源通信部２００の電源部に電力が供給される。コンセントから電力供給を受けた電源部は、ケーブル２０１を介して紙幣処理部１００に電力を供給し、ケーブル２０２を介して硬貨処理部３００に電力を供給する。この状態で、店員が、貨幣処理装置１の前面にある、電源通信部２００のカバーを開き、貨幣処理装置１のスイッチをオンにすると、紙幣処理部１００及び硬貨処理部３００の両方が起動する。これにより、紙幣処理部１００は紙幣処理を実行可能な状態となり、硬貨処理部３００は硬貨処理を実行可能な状態となる。
【００５８】
通信ケーブル２０３の端子を、店舗に設けられたネットワーク３用の差込口に差すと、図５に示すように、ネットワーク３を介して電源通信部２００の通信部とＰＯＳシステム２とが通信可能に接続される。紙幣処理部１００は、ケーブル２０１によって接続された通信部を介して、ＰＯＳシステム２と情報を送受信することができる。同様に、硬貨処理部３００は、ケーブル２０２によって接続された通信部を介して、ＰＯＳシステム２と情報を送受信することができる。すなわち、通信部は、ネットワーク３を介して、紙幣処理部１００及び硬貨処理部３００と、外部装置との通信を確立する。これにより、貨幣処理装置１は、店舗と客との間で取引を行う際にＰＯＳシステム２で算出された取引金額を受信することができる。そして、貨幣処理装置１は、紙幣処理部１００及び硬貨処理部３００によって、客から取引金額分の現金の入金を受け付け、必要に応じて釣銭を出金することができる。
【００５９】
貨幣処理装置１は、紙幣処理部１００によって紙幣の入金処理及び出金処理を行い、硬貨処理部３００によって硬貨の入金処理及び出金処理を行う。具体的には、貨幣処理装置１は、取引時に客が店舗に支払う現金のうち紙幣を紙幣処理部１００に受けて装置内に収納する。貨幣処理装置１は、取引時に客が店舗に支払う現金のうち硬貨を硬貨処理部３００に受けて装置内に収納する。また、客に釣銭を返す必要がある場合、貨幣処理装置１は、釣銭の紙幣を紙幣処理部１００内から繰り出し、釣銭の硬貨を硬貨処理部３００内から繰り出す。
【００６０】
図７は、紙幣処理部１００の内部構成概略を示す図である。図７に示すように、紙幣処理部１００は、入金部１１０、出金部１２０、カセット１３０、識別部１４０、搬送部１５０及び複数の収納部１６０を有する。
【００６１】
例えば、紙幣処理部１００は３つの収納部１６０を有する。店員は、図３に示したように、貨幣処理装置１の前面側から紙幣処理部１００を手前に引き出して、図７に示す構成部を貨幣処理装置１の筐体外部に露出させることができる。例えば、搬送部１５０の搬送路又は収納部１６０に紙幣が詰まった場合、店員は、紙幣処理部１００を貨幣処理装置１から引き出して、詰まった紙幣を取り除くことができる。
【００６２】
客が店舗に現金を支払う入金処理時、入金部１１０は、客が支払う紙幣を入金口に受けて１枚ずつ紙幣処理部１００の内部に繰り出す。搬送部１５０は、入金部１１０が繰り出した紙幣を搬送路に沿って搬送する。識別部１４０は、搬送路を搬送される紙幣を識別計数する。識別部１４０は、例えば、紙幣の金種、正損及び真偽を識別する。搬送部１５０は、識別結果に基づいて、出金部１２０、カセット１３０及び収納部１６０のいずれかに紙幣を搬送する。
【００６３】
店員は、複数の収納部１６０それぞれに収納する紙幣の種類を予め設定することができる。例えば、各収納部１６０に、収納する一又は複数の紙幣の金種が設定される。入金可能な紙幣は、識別部１４０による識別結果に応じて、対応する収納部１６０に収納される。紙幣に対応する収納部１６０がフル（満杯）の場合、この紙幣はカセット１３０に収納される。入金できない紙幣は、リジェクト紙幣として、出金部１２０から排出される。例えば、識別部１４０が識別できない紙幣、識別部１４０が偽と識別した紙幣は出金部１２０から客に返却される。
【００６４】
店舗が客に釣銭を返す出金処理時、釣銭を構成する紙幣が、対応する収納部１６０から１枚ずつ繰り出される。搬送部１５０は、繰り出された紙幣を搬送路に沿って搬送し、出金部１２０に排出する。
【００６５】
図８は、硬貨処理部３００の内部構成概略を示す図である。図８に示すように、硬貨処理部３００は、入金部３１０、出金部３２０、カセット３３０、識別部３４０、入金搬送部３５１、出金搬送部３５２、複数の収納部３６０及びシュート３７０を有する。
【００６６】
例えば、硬貨処理部３００は、８つの収納部３６０を有する。店員は、図３に示したように、貨幣処理装置１の前面側から硬貨処理部３００を手前に引き出して、図８に示す各構成部を貨幣処理装置１の筐体外部に露出させることができる。例えば、入金搬送部３５１の搬送路、出金搬送部３５２の搬送路、又は収納部３６０に硬貨が詰まった場合、店員は、硬貨処理部３００を貨幣処理装置１から引き出して、詰まった硬貨を取り除くことができる。
【００６７】
客が店舗に現金を支払う入金処理時、入金部３１０は、客が支払う硬貨を入金口に受ける。入金部３１０の硬貨は、繰出部３８０に落下する。繰出部３８０は、入金部３１０から受けた硬貨を１枚ずつ入金搬送部３５１の搬送路に繰り出す。入金搬送部３５１は、繰出部３８０が繰り出した硬貨を搬送路に沿って搬送する。識別部３４０は、搬送路を搬送される硬貨を識別計数する。識別部３４０は、例えば、硬貨の金種、真偽、正損を識別する。識別部３４０より下流の搬送路には、複数のシュート３７０が接続されている。図８では１つのシュート３７０を破線で示しているが、出金部３２０、カセット３３０及び複数の収納部３６０に対応してシュート３７０が設けられている。各シュート３７０は、出金部３２０、カセット３３０、複数の収納部３６０のいずれか１つと、搬送路との間を接続している。搬送路に形成されたシュート３７０の開口部は、通常閉塞されている。識別部３４０を通過した硬貨は、閉塞されたシュート３７０の開口部上を通過してさらに下流へ搬送される。硬貨の識別結果に応じて、対応するシュート３７０の開口部が開くと、硬貨は開口部からシュート３７０内へ落下する。落下した硬貨は、シュート３７０を介して、出金部３２０、カセット３３０、収納部３６０のいずれかに送られる。
【００６８】
店員は、複数の収納部３６０それぞれに収納する硬貨の種類を予め設定することができる。例えば、各収納部３６０に、収納対象とする一又は複数の硬貨の金種が設定される。入金可能な硬貨は、識別部３４０による識別結果に応じて、対応する収納部３６０に収納される。硬貨に対応する収納部３６０がフル（満杯）の場合、この硬貨はカセット３３０に収納される。入金できない硬貨は、リジェクト硬貨として、出金部３２０に排出される。例えば、識別部３４０が識別できない硬貨、識別部３４０が偽と識別した硬貨は出金部３２０から客に返却される。
【００６９】
店舗が客に釣銭を返す出金処理時、釣銭を構成する硬貨が、対応する収納部３６０から１枚ずつ繰り出される。繰り出された硬貨は、収納部３６０の下方に設けられた出金搬送部３５２の搬送路上に落下する。出金搬送部３５２は、搬送路に受けた硬貨を上方の繰出部３８０へ搬送する。繰出部３８０は、底部に開閉可能に設けられたゲートを開き、硬貨を出金部３２０に排出する。
【００７０】
本実施形態では、紙幣処理部１００と硬貨処理部３００との間に電源通信部２００を設ける態様を示したが各ユニットの配置がこれに限定されるものではない。例えば、上から順に、電源通信部２００、紙幣処理部１００、硬貨処理部３００の順に配置する態様であってもよいし、紙幣処理部１００、硬貨処理部３００、電源通信部２００の順に配置する態様であってもよい。また、例えば、紙幣処理部１００又は硬貨処理部３００が、電源通信部２００を内蔵する態様であってもよい。この場合は、紙幣処理部１００と硬貨処理部３００とが上下方向に並べて配置され、電源通信部２００が紙幣処理部１００又は硬貨処理部３００に含まれることになる。
【００７１】
本実施形態では、紙幣処理部１００及び硬貨処理部３００は、貨幣処理装置１の筐体との間に設けられたスライドレール１１、１３によって移動し、電源通信部２００は貨幣処理装置１に固定された支持部１２の上を移動する態様を示したが、移動態様がこれに限定されるものではない。例えば、紙幣処理部１００及び硬貨処理部３００が、電源通信部２００と同様に、貨幣処理装置１の筐体に固定された支持部上を移動する態様であってもよい。また、電源通信部２００が、紙幣処理部１００及び硬貨処理部３００と同様に、貨幣処理装置１の筐体との間に設けられたスライドレール１１、１３によって移動する態様であってもよい。
【００７２】
本実施形態では、紙幣処理部１００と貨幣処理装置１の筐体との間にスライドレール１１を設け、紙幣処理部１００を、貨幣処理装置１の筐体外側へ引出可能に設ける態様を示した。本態様によれば、紙幣処理部１００を引き出して、図７に示した構成部の保守点検を行うことができるが、紙幣処理部１００の設置態様がこれに限定されるものではない。例えば、紙幣処理部１００の筐体内に該筐体から引出可能なフレームを設けると共に該フレーム上に図７に示した構成部を設けて、紙幣処理部１００の筐体を貨幣処理装置１の筐体内に固定する態様であってもよい。この場合、紙幣処理部１００の鍵穴１０１を利用して施解錠されるロック機構を、紙幣処理部１００の筐体とフレームとの間をロックするように設ける。これにより、ロック機構を解錠して、紙幣処理部１００の筐体からフレームを引き出し、紙幣処理部１００の構成部を貨幣処理装置１の外部に露出させることができる。また、紙幣処理部１００の筐体と貨幣処理装置１の筐体との間の固定を解除すれば、貨幣処理装置１から紙幣処理部１００を取り外すことができる。硬貨処理部３００についても同様に、貨幣処理装置１から硬貨処理部３００を引出可能に設ける態様に限定されず、硬貨処理部３００の筐体を貨幣処理装置１内に固定して、該筐体から図８に示した構成部が設けられたフレームを貨幣処理装置１の外に引き出す態様であってもよい。また、硬貨処理部３００と架台部３９０とが別々に設けられる態様に限定されず、硬貨処理部３００が架台部３９０を含む態様であってもよい。
【００７３】
本実施形態では、電源通信部２００に含まれる通信部と、紙幣処理部１００及び硬貨処理部３００との間をケーブル２０１、２０２によって有線接続する態様を示したが、通信接続の態様がこれに限定されるものではない。同様に、電源通信部２００に含まれる通信部と、外部装置との間をケーブル２０３によって有線接続する態様を示したが、通信接続の態様がこれに限定されるものではない。例えば、これらの各通信接続が、ケーブルを利用せずに、ＮＦＣ（Ｎｅａｒ  ｆｉｅｌｄ  Ｃｏｍｍｕｎｉｃａｔｉｏｎ）、Ｂｌｕｅｔｏｏｔｈ（登録商標）等の無線通信技術を利用して実現される態様であってもよい。このとき、全ての通信接続が、有線接続又は無線接続である態様に限定されず、有線接続と無線接続とが混在する態様であってもよい。具体的には、電源通信部２００の通信部と紙幣処理部１００の通信接続、電源通信部２００の通信部と硬貨処理部３００の通信接続、電源通信部２００の通信部と外部装置の通信接続の３つの通信接続が、全て有線接続であってもよいし、全て無線接続であってもよいし、１つ又は２つが有線接続で残りが無線接続であってもよい。例えば、貨幣処理装置１内にある電源通信部２００と、紙幣処理部１００及び硬貨処理部３００との間は有線接続して、貨幣処理装置１と外部装置の間は無線接続する態様であってもよい。
【００７４】
本実施形態では、紙幣処理部１００、電源通信部２００及び硬貨処理部３００がそれぞれ貨幣処理装置１の筐体外部に引出可能に設けられる態様を示したが、電源通信部２００は筐体に支持され、紙幣処理部１００と硬貨処理部３００のうち少なくともいずれか一方が引出可能に設けられる態様であってもよい。例えば、上から紙幣処理部１００、電源通信部２００、硬貨処理部３００の順でこれらが鉛直方向に並んで配置されているとする。この場合、紙幣処理部１００を貨幣処理装置１の筐体外部に引き出したときに、電源通信部２００（収納部）の上部から電源部及び通信部にアクセス可能にすることで、電源通信部２００を貨幣処理装置１の筐体外部へ引き出すための機構をなくすことができる。同様に、硬貨処理部３００を貨幣処理装置１の筐体外部に引き出したときに、電源通信部２００（収納部）の下部から電源部及び通信部にアクセス可能にすることで、電源通信部２００を貨幣処理装置１の筐体外部へ引き出すための機構をなくすことができる。
【００７５】
本実施形態では、図６に示したように貨幣処理装置１の外部から電源通信部２００の電源部に電力の供給を受けて、電源部が紙幣処理部１００及び硬貨処理部３００に電力を供給する態様を示したが、電力供給の方法がこれに限定されるものではない。例えば、電源通信部２００の電源部が紙幣処理部１００と硬貨処理部３００のいずれか一方のみに電力を供給して、他方は自ら貨幣処理装置１の外部から電力供給を受ける態様であってもよい。具体的には、例えば紙幣処理部１００の制御基板は電源通信部２００から電力を得て、硬貨処理部３００の制御基板は、貨幣処理装置１の外に延ばした電源ケーブルをコンセントに接続することにより電力を得る態様であってもよい。
【００７６】
本実施形態では、図７及び図８に紙幣処理部１００及び硬貨処理部３００の構成例を示したが、紙幣処理部１００及び硬貨処理部３００の構成がこれに限定されるものではない。例えば、硬貨処理部３００がカセット３３０を有さない態様であってもよい。紙幣の入金処理及び出金処理を行うことができれば、紙幣処理部１００の構成は特に限定されない。同様に、硬貨の入金処理及び出金処理を行うことができれば、硬貨処理部３００の構成は特に限定されない。入金処理及び出金処理時の紙幣及び硬貨の処理方法についても、上述した態様に限定されない。例えば、収納部１６０、３６０に設定可能な金種が一金種のみであってもよい。例えば、入金処理時に収納部１６０、３６０が満杯で収納できない場合、該収納部１６０、３６０の貨幣をカセット１３０、３３０に移動して貨幣を収納可能な状態にしてから、収納部１６０、３６０に貨幣を収納する態様であってもよい。例えば、収納部３６０から硬貨を繰り出して出金する際、出金搬送部３５２が、繰出部３８０を経ずに硬貨を硬貨処理部３００の出金部３２０に直接搬送する態様であってもよい。
【００７７】
上述したように、貨幣処理装置１は、成人の平均身長より高さが低く、高さ寸法に比べて幅寸法が小さい、縦長形状の小型の装置である。これにより、貨幣処理装置１は、狭いスペースに設置して使用することができる。例えば、店舗内の所定スペースに複数台の貨幣処理装置１を左右に並べて設置する場合、従来装置に比べて多くの台数を設置することができる。
【００７８】
貨幣処理装置１は、ユニット化された紙幣処理部１００、電源通信部２００及び硬貨処理部３００を有し、各ユニットは、それぞれが独立して装置前面側から手前に引出可能に設けられている。また、貨幣処理装置１は、上下方向に配列された紙幣入金口、紙幣出金口、硬貨入金口及び硬貨出金口を装置前面に有する。これにより、貨幣処理装置１が、背面及び両側面を、壁面又は他の装置に近接して配置された場合でも、紙幣及び硬貨を容易に入出金することができる。
【産業上の利用可能性】
【００７９】
以上のように、本発明に係る貨幣処理装置は、小型の貨幣処理装置が求められる場合に有用である。
【符号の説明】
【００８０】
１  貨幣処理装置
２  ＰＯＳシステム
３  ネットワーク
１００  紙幣処理部
１１０、３１０  入金部
１２０、３２０  出金部
１３０、３３０  カセット
１４０、３４０  識別部
１５０  搬送部
１６０、３６０  収納部
２００  電源通信部
３００  硬貨処理部
３５１  入金搬送部
３５２  出金搬送部
３７０  シュート
３８０  繰出部
３９０  架台部
４００  ＰＯＳサーバ
５００  操作表示部
【図１】
2020181496.tif 000003
【図２】
2020181496.tif 000004
【図３】
2020181496.tif 000005
【図４】
2020181496.tif 000006
【図５】
2020181496.tif 000007
【図６】
2020181496.tif 000008
【図７】
2020181496.tif 000009
【図８】
2020181496.tif 000010